(57)【要約】【課題】  本発明は基台（ベース）に取り付けた磁気回路により磁気ヘッドが設けられたアクチュエータを駆動することにより磁気ディスクに対し記録再生処理を行うディスク装置に関し、磁気回路を基台に固定した際にネジ止め部上に間隙が形成されても、塵埃が装置内に撒き散らされるのを抑制することを課題とする。【解決手段】  磁気ヘッドを搭載したアクチュエータ２２を駆動することにより磁気ヘッドを磁気ディスク１１の目的のトラックへ移動させる磁気回路１５と、この磁気回路１５がネジ止めされるネジ止め部２５を有してなるベース１３とを有する磁気ディスク装置において、前記磁気回路１５がネジ止め部２５にネジ止めされた際、磁気回路１５とネジ止め部２５との間に形成された間隙ΔＨを閉塞する閉塞部材３０を設ける。【選択図】  図８
2007035184.tif 000002
【特許請求の範囲】
【請求項１】
磁気ヘッドを搭載したアクチュエータを駆動することにより前記磁気ヘッドを前記磁気ディスクの目的のトラックへ移動させる磁気回路と、該磁気回路がネジ止めされるネジ止め部を有してなる基台とを有する磁気ディスク装置において、
前記磁気回路が前記ネジ止め部にネジ止めされた際、前記磁気回路と前記ネジ止め部との間に形成された間隙を閉塞する閉塞部材を設けたことを特徴とする磁気ディスク装置。
【請求項２】
前記閉塞部材は、弾性材よりなるチューブ状部材であることを特徴とする請求項１記載の磁気ディスク装置。
【請求項３】
前記チューブ状部材は、前記ネジ止め部に固定される固定部と、該ネジ止め部の上方に弾性変形可能な状態で延出して前記磁気回路と接触する延出部とにより構成されていることを特徴とする請求項２記載の磁気ディスク装置。
【請求項４】
前記基台上に高さ基準用突起を形成し、前記磁気回路が該高さ基準用突起上に載置されることにより、前記基台の底面に対する高さ方向の位置決めが行われる構成としたことを特徴とする請求項１乃至３のいずれか１項に記載の磁気ディスク装置。
【請求項５】
前記ネジ止め部は、前記基台の底面から突出した柱形状であることを特徴とする請求項１乃至４のいずれか１項に記載の磁気ディスク装置。
【発明の詳細な説明】
【技術分野】
【０００１】
本発明は磁気ディスク装置に係り、特に基台に取り付けた磁気回路により磁気ヘッドが設けられたアクチュエータを駆動することにより磁気ディスクに対し記録再生処理を行うディスク装置に関する。
【背景技術】
【０００２】
図１乃至図４は、従来の一例である磁気ヘッド装置１００を説明するための図である。図１は従来の磁気ディスク装置１００を示す斜視図であり、図２は図１におけるＸ１−Ｘ１線に沿う断面図を示している。また、図３は磁気ディスク装置１００の後述する磁気回路１５０の取り付け構造を示す斜視図であり、図４は磁気回路１５０をベース１１３（基台）に固定するネジ１２６の近傍を拡大して示す断面図である。
【０００３】
各図に示されるように、磁気ヘッドが搭載されたヘッドスライダ１１４を支持するアクチュエータ１２２は支軸１４０に揺動可能に軸承されており、その支軸１４０よりも後端部分にはボイスコイル１５１が実装されている。このボイスコイル１５１は磁気回路１５０により駆動され、これによりアクチュエータ１２２は支軸１４０を中心として揺動する構成とされている。
【０００４】
磁気回路１５０は、上側ヨーク１５３Ａ、下側ヨーク１５３Ｂ、上側マグネット１５５Ａ、及び下側マグネット１５５Ｂ等により構成されている。図２及び図３に示されるように、上側ヨーク１５３Ａの下面には上側マグネット１５５Ａが配設されており、下側ヨーク１５３Ｂの正面には下側マグネット１５５Ｂが配設されている。
【０００５】
この上側マグネット１５５Ａと下側マグネット１５５Ｂとの間には間隙が形成されており、この間隙内に前記したアクチュエータ１２２のボイスコイル１５１が移動可能に装着される構成となっている。これら、ボイスコイル１５１、上側ヨーク１５３Ａ、下側ヨーク１５３Ｂ、上側マグネット１５５Ａ、下側マグネット１５５Ｂ等によりボイスコイルモータ１２３（ＶＣＭ）が構成される。このボイルコイルモータ１２３は、アクチュエータ１２２を支軸１４０を中心として揺動させる駆動源となる。
【０００６】
尚、以下の説明では、このボイスコイルモータ１２３の構成要素の内、特にボイスコイル１５１を除く、上側及び下側ヨーク１５３Ａ，１５Ｂ、上側及び下側マグネット１５５Ａ，１５５Ｂを磁気回路１５０というものとする。
【０００７】
ところで、磁気ディスク装置１００は、適正な磁気記録再生処理を行うために、高精度にヘッドスライダ１１４（磁気ヘッド）を磁気ディスク１０１上の所定位置に位置決めする必要がある。このため、アクチュエータ１２２及びこれを支持する支軸１４０は、ベース１１３に高精度に配設される。この際、記録再生時におけるヘッドスライダ１１４（磁気ヘッド）と磁気ディスク１０１との状態を良好に保つためには、特にベース１１３に対する高さ方向の位置決めが重要となる。
【０００８】
また、前記したように磁気回路１５０は、高精度に配設されたアクチュエータ１２２のボイスコイル１５１が挿入されるため、この磁気回路１５０もベース１１３に対して高さ方向の精度を高める必要がある。このため、図３に示すように、ベース１１３の底板１１３Ａに高さ基準用突起１２４を形成し、この高さ基準用突起１２４上に磁気回路１５０を載置することにより、ベース１１３に対する磁気回路１５０の高さ決めを行う構成とされている。高さ基準用突起１２４は高精度に形成されており、磁気回路１５０はこの高さ基準用突起１２４上に載置するだけで、その高さ精度出しを行うことができる。
【０００９】
また、磁気回路１５０をベース１１３に固定するには、図３に示すように、ネジ１２６を用いて行う。ベース１１３は、ネジ１２６が螺着されるネジ孔が形成されたネジ止め部１２５が形成されている。また、磁気回路１５０は、ネジ１２６を挿通する挿通孔が形成された鍔部１５６が設けられている。よって、ネジ１２６を鍔部１５６に形成された挿通孔に挿通しネジ止め部１２５にネジ止めすることにより、磁気回路１５０はベース１１３に固定される。
【００１０】
上記のようにアクチュエータ１２２及び磁気回路１５０のベース１１３に対する高さ精度を良好に保つことにより、記録再生時におけるヘッドスライダ１１４（磁気ヘッド）と磁気ディスク１０１との状態を良好に保つことができる。
【００１１】
また、ヘッドスライダ１１４（磁気ヘッド）と磁気ディスク１０１との状態を良好に保つためには、磁気ディスク装置１００内に塵埃（コンタミ）が侵入しないよう構成する必要がある。塵埃が磁気ディスク１０１とヘッドスライダ１１４との間に侵入した場合には、磁気ディスク１０１の表面形成されている磁性面や磁気ヘッドの摺接面が損傷（ヘッドクラッシュ）するおそれがある。このため、従来から塵埃の発生を抑制するための種々の手段が講じられている（例えば、特許文献１参照）。
【特許文献１】特開２００４−２９６０１１号公報
【発明の開示】
【発明が解決しようとする課題】
【００１２】
ところで、上記のように取り付け高さ精度を上げるために磁気回路１５０を高さ基準用突起１２４上に搭載する構成とした場合、磁気回路１５０をネジ止め部１２５に強固に固定することができない。即ち、磁気回路１５０をネジ止め部１２５に強固に固定すると、高さ基準用突起１２４が潰れてしまい高さ精度が低下してしまう。
【００１３】
このため図４に示すように、磁気回路１５０をベース１１３に取り付けた状態において、ネジ止め部１２５の上面と鍔部１５６との間に設計上の間隙を設ける必要がある（図４において、この間隙をΔＨで示している）。しかしながら、この間隙ΔＨにより、ネジ止め部１２５が装置内側に露出したままの状態となり、塵埃（コンタミ）の発生源となるおそれがあった。
【００１４】
特に、ネジ止め部１２５に対してネジ１２６を螺着する際、またネジ止め部１２５からネジ１２６を取り外す際、ネジ止め部１２５から塵埃が装置内に撒き散らされる可能性は高くなる。このようにネジ止め部１２５から塵埃（コンタミ）が磁気ディスク装置１００の内部に撒き散らされると、前記したようにヘッドクラッシュの原因となってしまう。
【００１５】
本発明は上記の点に鑑みてなされたものであり、磁気回路を基台に固定した際にネジ止め部上に間隙が形成されても、塵埃が装置内に撒き散らされるのを抑制しうる磁気ディスク装置を提供することを目的とする。
【課題を解決するための手段】
【００１６】
上記の課題を解決するために本発明では、次に述べる各手段を講じたことを特徴とするものである。
【００１７】
請求項１記載の発明は、
磁気ヘッドを搭載したアクチュエータを駆動することにより前記磁気ヘッドを前記磁気ディスクの目的のトラックへ移動させる磁気回路と、該磁気回路がネジ止めされるネジ止め部を有してなる基台とを有する磁気ディスク装置において、
前記磁気回路が前記ネジ止め部にネジ止めされた際、前記磁気回路と前記ネジ止め部との間に形成された間隙を閉塞する閉塞部材を設けたことを特徴とするものである。
【００１８】
上記発明によれば、閉塞部材により磁気回路とネジ止め部との間に形成された間隙が閉塞されるため、ネジをネジ止めする際にネジ止め部から塵埃が発生しても、この塵埃は閉塞部材の外部に放出されることはない。よって、磁気ヘッドと磁気ディスクの間にネジ止め部からの塵埃が付着することはなくなり、磁気ディスク装置の信頼性を高めることができる。
【００１９】
また、請求項２記載の発明のように、請求項１記載の磁気ディスク装置において、前記閉塞部材は弾性材よりなるチューブ状部材であることが望ましい。
【００２０】
上記発明によれば、閉塞部材を弾性材よりなるチューブ状部材とすることにより、弾性材よりなるチューブ状部材は入手しやすいため、閉塞部材の低コスト化を図ることができる。
【００２１】
また、請求項３記載の発明のように、前記チューブ状部材は、前記ネジ止め部に固定される固定部と、該ネジ止め部の上方に弾性変形可能な状態で延出して前記磁気回路と接触する延出部とにより構成されていることが望ましい。
【００２２】
上記発明によれば、チューブ状部材が固定部と延出部とにより構成され、固定部がネジ止め部に固定されることにより、閉塞部材のネジ止め部への装着性を高めることができる。また、延出部は弾性変形可能な状態で上方に延出して磁気回路と接触するため、磁気回路との密着性が良好となり、塵埃が閉塞部材の外部に漏出することをより確実に防止することができる。
【００２３】
また、請求項４記載の発明のように、前記基台上に高さ基準用突起を形成し、前記磁気回路が該高さ基準用突起上に載置されることにより、前記基台の底面に対する高さ方向の位置決めが行われる構成としてもよい。
【００２４】
上記発明のように基台上に高さ基準用突起を設け、この高さ基準用突起上に磁気回路を載置して高さ方向の位置決めを行う構成では、位置決め精度を高めるために必然的にネジ止め部と磁気回路との間に間隙を形成する必要がある。しかしながら、この間隙は閉塞部材により閉塞されるため、高さ方向の位置決め精度を高く維持しつつ、塵埃が漏出することを防止できる。
【００２５】
また、請求項５記載の発明のように、前記ネジ止め部は前記基台の底面から突出した柱形状とすることが望ましい。
【００２６】
上記発明とすることにより、閉塞部材をネジ止め部に装着しやすくすることができる。
【００２７】
また、上記発明において、チューブ状部材はゴム、樹脂等の弾性体とすることが望ましい。ゴム、樹脂等の弾性体は安価で安定性が高く、かつ磁気回路との密着性を高めることができる。
【００２８】
また、上記発明において、前記閉塞部材は弾性材よりなるパッキンとすることも可能である。
【発明の効果】
【００２９】
本発明によれば、ネジ止め部から塵埃が漏出することを防止でき、よって磁気ヘッドと磁気ディスクの間にネジ止め部からの塵埃が付着することはなくなり、磁気ディスク装置の信頼性を高めることができる。
【発明を実施するための最良の形態】
【００３０】
次に、本発明を実施するための最良の形態について図面と共に説明する。
【００３１】
図５乃至図８は、本発明の一実施例である磁気ディスク装置１０を説明するための図である。図５は本発明の一実施例である磁気ディスク装置１０を示す斜視図であり、図６は図５におけるＸ２−Ｘ２線に沿う断面図を示している。また、図７は磁気ディスク装置１０の後述する磁気回路１５の取り付け構造を示す斜視図であり、図８は磁気回路１５をベース１３（基台）に固定するネジ２６の近傍を拡大して示す断面図である。
【００３２】
各図に示される磁気ディスク装置１０は、データ記録媒体である磁気ディスク１１、磁気ディスク１１を回転駆動するスピンドルモータ１２、磁気ヘッドを搭載するヘッドスライダ１４が実装されたアクチュエータ２２、このアクチュエータ２２を揺動駆動するボイスコイルモータ（ＶＣＭ）２３等が、図示を省略したカバーとベース（基台）１３からなるエンクロージャの内部に収納された構成とされている。
【００３３】
磁気ディスク１１は、スピンドルモータ１２のロータ部に固定されている。磁気ディスク１１は、磁気ディスク装置１０の動作時（記録・再生処理時）においてスピンドルモータ１２により回転駆動され、また磁気ディスク装置１０の非動作時においては回転停止（静止）する。
【００３４】
アクチュエータ２２は、ベース１３に立設された支軸４０に揺動自在に軸承されている。このアクチュエータ２２は、支持アームとコイルアームとを有している。支持アームは、その先端部に支持バネを介してヘッドスライダ１４が設けられている。
【００３５】
ヘッドスライダ１４は、磁気ディスク１１と対向するよう配設される。ヘッドスライダ１４は、図示されない制御部からのデータを磁気ディスク１１の表面のトラックに記録し、また、トラックに記録されたデータを読み込んで制御部に送るに磁気ヘッド（図示されない）を備えている。このヘッドスライダ１４は、磁気ディスク装置１０が動作状態にあるときは回転する磁気ディスク１１の表面で浮上する。
【００３６】
また、アクチュエータ２２のコイルアームには、ボイスコイル５１が配設されている。このボイスコイル５１は、磁気回路１５と協働してボイルコイルモータ２３を構成するものである。磁気回路１５によりアクチュエータ２２は駆動され、これによりアクチュエータ２２は支軸４０を中心として揺動する構成とされている。
【００３７】
磁気回路１５は、上側ヨーク５３Ａ、下側ヨーク５３Ｂ、上側マグネット５５Ａ、及び下側マグネット５５Ｂ等により構成されている。図６及び図７に示されるように、上側ヨーク５３Ａの下面には上側マグネット５５Ａが配設されており、下側ヨーク５３Ｂの正面には下側マグネット５５Ｂが配設されている。
【００３８】
この上側マグネット５５Ａと下側マグネット５５Ｂとの間には間隙が形成されており、この間隙内に前記したアクチュエータ２２のボイスコイル５１が移動可能に装着される構成となっている。これら、ボイスコイル５１、上側ヨーク５３Ａ、下側ヨーク５３Ｂ、上側マグネット５５Ａ、下側マグネット５５Ｂ等によりボイスコイルモータ２３（ＶＣＭ）が構成される。尚、本実施例では、このボイスコイルモータ２３の構成要素の内、特にボイスコイル５１を除く、上側及び下側ヨーク５３Ａ，５Ｂ、上側及び下側マグネット５５Ａ，５５Ｂを磁気回路１５というものとする。
【００３９】
ところで、磁気ディスク装置１０は、適正な磁気記録再生処理を行うために、高精度にヘッドスライダ１４（磁気ヘッド）を磁気ディスク１１上の所定位置に位置決めする必要がある。このため、アクチュエータ２２及びこれを支持する支軸４０は、ベース１３に高精度に配設される。この際、記録再生時におけるヘッドスライダ１４（磁気ヘッド）と磁気ディスク１１との状態を良好に保つためには、特にベース１３に対する高さ方向の位置決めが重要となることは前述した通りである。
【００４０】
また、前記したように磁気回路１５は、高精度に配設されたアクチュエータ２２のボイスコイル５１が挿入されるため、この磁気回路１５もベース１３に対して高さ方向の精度を高める必要がある。このため、図７に示すように、ベース１３の底板１３Ａに高さ基準用突起２４を形成し、この高さ基準用突起２４上に磁気回路１５を載置することにより、ベース１３に対する磁気回路１５の高さ決めを行う構成とされている。高さ基準用突起２４は高精度に形成されており、磁気回路１５はこの高さ基準用突起２４上に載置するだけで、その高さ精度出しを行うことができる。
【００４１】
また、磁気回路１５をベース１３に固定するには、図７に示すように、ネジ２６を用いて行う。ベース１３は、ネジ２６が螺着されるネジ孔が形成されたネジ止め部２５が形成されている。このネジ止め部２５は、ベース１３の底板１３Ａから突出した柱形状とされている。また、磁気回路１５は、ネジ２６を挿通する挿通孔が形成された鍔部５６が設けられている。
【００４２】
よって、ネジ２６を鍔部５６に形成された挿通孔に挿通しネジ止め部２５にネジ止めすることにより、磁気回路５０はベース１３に固定される。この際、上記のように本実施例では高さ基準用突起２４上に磁気回路１５が載置されるため、アクチュエータ２２及び磁気回路１５のベース１３に対する高さが高精度に決められ、よって記録再生時におけるヘッドスライダ１４（磁気ヘッド）と磁気ディスク１１との状態を良好に保つことができる。
【００４３】
また本実施例では、各鍔部５６とネジ止め部２５との間に閉塞部３０を設けたことを特徴としている（図７及び図８に詳しい）。
【００４４】
閉塞部３０はゴム、樹脂等の弾性体等の弾性体により形成されており、その形状はチューブ形状とされている。また、閉塞部３０の内径は、ネジ止め部２５の外形よりも小さく設定されている。このチューブ形状の閉塞部３０は、磁気回路１５をベース１３に装着する前にネジ止め部２５に装着される。
【００４５】
ネジ止め部２５は底板１３Ａから突出した柱形状とされており、また閉塞部３０はチューブ形状であるため、閉塞部３０のネジ止め部２５への装着処理は容易に行うことができる。また、閉塞部３０はゴム、樹脂等の弾性体よりなるチューブ形状であるため安価である。このため、閉塞部３０を磁気ディスク装置１０に設けても、磁気ディスク装置１０のコストが徒に上昇してしまうようなことはない。
【００４６】
この装着後において、閉塞部３０の上部は、ネジ止め部２５の先端よりも上方に所定長さ延出するよう構成されている。尚、以下の説明において、閉塞部３０がネジ止め部２５に装着された状態において、ネジ止め部２５に固定されている部分を固定部３０Ａと、またネジ止め部２５の先端よりも上方に延出している部分を延出部３０Ｂというものとする（図８参照）。
【００４７】
ところで、上記のように取り付け高さ精度を上げるために磁気回路１５を高さ基準用突起２４上に搭載する構成とした場合、高さ基準用突起１２４が潰れて高さ精度が低下するのを防止するため、磁気回路５０の取り付け状態において、ネジ止め部２５の上面と鍔部５６との間に設計上の間隙ΔＨを設ける必要があることは前述した通りである（間隙ΔＨを図８に示す）。また従来では、この間隙ΔＨを設けることにより装置内に塵埃（コンタミ）が拡散してヘッドクラッシュ等が発生していたことも前述した通りである。
【００４８】
しかしながら本実施例では、ネジ止め部２５に閉塞部３０が装着されており、この閉塞部３０の延出部３０Ｂがネジ止め部２５の先端より上方に延出した構成となっている。更に、延出部３０Ｂの延出長さは、前記した間隙ΔＨの長さよりも長く設定されている。従って、磁気回路１５がネジ止め部２５にネジ止めされた際、延出部３０Ｂは鍔部５６と接触し、磁気回路１５とネジ止め部２５との間に形成される間隙ΔＨは閉塞部３０（具体的には、延出部３０Ｂ）により閉塞される。この際、延出部３０Ｂは弾性力を持って鍔部５６に密着（接触）するため、高い気密性を維持して鍔部５６と接触する。
【００４９】
これにより、ネジ２６をネジ止め部２５に対して装着脱する際にネジ止め部２５から塵埃が発生しても、この塵埃は閉塞部３０の外部に放出されることはない。よって、磁気ヘッドと磁気ディスク１１との間にネジ止め部２５からの塵埃が付着するようなことはなく、ヘッドクラッシュを防止でき磁気ディスク装置１０の信頼性を高めることができる。
【００５０】
尚、上記した実施例では、閉塞部３０としてチューブ状のゴムを用いた例に付いて説明したが、閉塞部３０はチューブ状のゴムに限定されるものではない。例えば、閉塞部材３０として、弾性材よりなるパッキンを用いることも可能である。
【００５１】
また、上記した実施例では、ネジ２６のネジの頭が直接鍔部５６と接触する構成としたが、塵埃の装置内への拡散をより確実に防止するため、ネジ２６のネジの頭と鍔部５６との間に、鍔部５６に形成された貫通孔を介して装置内に塵埃が拡散するのを防止するパッキン材を配設した構成としてもよい。
【００５２】
以上の説明に関し、更に以下の項を開示する。
（付記１）
磁気ヘッドを搭載したアクチュエータを駆動することにより前記磁気ヘッドを前記磁気ディスクの目的のトラックへ移動させる磁気回路と、該磁気回路がネジ止めされるネジ止め部を有してなる基台とを有する磁気ディスク装置において、
前記磁気回路が前記ネジ止め部にネジ止めされた際、前記磁気回路と前記ネジ止め部との間に形成された間隙を閉塞する閉塞部材を設けたことを特徴とする磁気ディスク装置。
（付記２）
前記閉塞部材は、弾性材よりなるチューブ状部材であることを特徴とする付記１記載の磁気ディスク装置。
（付記３）
前記チューブ状部材は、前記ネジ止め部に固定される固定部と、該ネジ止め部の上方に弾性変形可能な状態で延出して前記磁気回路と接触する延出部とにより構成されていることを特徴とする付記２記載の磁気ディスク装置。
（付記４）
前記基台上に高さ基準用突起を形成し、前記磁気回路が該高さ基準用突起上に載置されることにより、前記基台の底面に対する高さ方向の位置決めが行われる構成としたことを特徴とする付記１乃至３のいずれか１項に記載の磁気ディスク装置。
（付記５）
前記ネジ止め部は、前記基台の底面から突出した柱形状であることを特徴とする付記１乃至４のいずれか１項に記載の磁気ディスク装置。
（付記６）
前記チューブ状部材は、ゴム、樹脂等の弾性体よりなることを特徴とする付記２記載の磁気ディスク装置。
（付記７）
前記閉塞部材は、弾性材よりなるパッキンであることを特徴とする付記１記載の磁気ディスク装置。
【図面の簡単な説明】
【００５３】
【図１】図１は、従来の磁気ディスク装置の一例を示す斜視図である。
【図２】図２は、図１におけるＸ１−Ｘ１線に沿う断面図である。
【図３】図３は、従来のディスク装置における磁気回路の取り付け構造を示す斜視図である。
【図４】図４は、従来のディスク装置において磁気回路をベースに固定するネジの近傍を拡大して示す断面図である。
【図５】図５は、本発明の一実施例である磁気ディスク装置の平面図である。
【図６】図６は、図５におけるＸ２−Ｘ２線に沿う断面図である。
【図７】図７は、本発明の一実施例であるディスク装置における磁気回路の取り付け構造を示す斜視図である。
【図８】図８は、本発明の一実施例であるディスク装置において磁気回路をベースに固定した状態のネジの近傍を拡大して示す断面図である。
【符号の説明】
【００５４】
１０  磁気ディスク装置
１１  磁気ディスク
１３  ベース
１５  磁気回路
２２  アクチュエータ
２３  ボイルコイルモータ
２４  高さ基準用突起
２５  ネジ止め部
２６  ネジ
３０  閉塞部
３０Ａ  固定部
３０Ｂ  延出部
５１  ボイスコイル
５３Ａ  上側ヨーク
５３Ｂ  下側ヨーク
６０  片持ちバネ部
６０Ａ  付勢部
６０Ｂ  接続部
７０  バネワッシャー
【図１】
2007035184.tif 000003
【図２】
2007035184.tif 000004
【図３】
2007035184.tif 000005
【図４】
2007035184.tif 000006
【図５】
2007035184.tif 000007
【図６】
2007035184.tif 000008
【図７】
2007035184.tif 000009
【図８】
2007035184.tif 000010